(57)【要約】【課題】  画像読取装置から読み取った撮像データを、よりユーザの利便性よく管理する技術を提供する。【解決手段】  画像読取装置からの撮像データを処理する情報処理装置において、画像読取装置から読み取った撮像データを受信する受信手段と、受信手段にて受信した撮像データに、予め設定されている識別情報を含むか否か判定する手段と、判定手段により、識別情報を含むと判定した場合、撮像データの所定の領域は文字情報として記憶し、所定の領域以外は画像情報として記憶し、識別情報を含まないと判定した場合、領域に関係なく撮像データを画像情報として記憶する記憶手段とを備えることを特徴とする。【選択図】  図４
2011039714.tif 000002
【特許請求の範囲】
【請求項１】
画像読取装置からの撮像データを処理する情報処理装置において、
前記画像読取装置から読み取った撮像データを受信する受信手段と、
前記受信手段にて受信した前記撮像データに、予め設定されている識別情報を含むか否かを判定する手段と、
前記判定手段により、
識別情報を含むと判定した場合、前記撮像データの所定の領域は文字情報として記憶し、前記所定の領域以外は画像情報として記憶し、
識別情報を含まないと判定した場合、前記領域に関係なく前記撮像データを画像情報として記憶する記憶手段と
を備えることを特徴とする情報処理装置。
【請求項２】
画像読取装置からの撮像データを処理する情報処理装置において、
前記画像読取装置から読み取った撮像データを受信する受信手段と、
前記受信手段にて受信した前記撮像データに、予め設定されている識別情報を含むか否かを判定する手段と、
前記判定手段により、
識別情報を含むと判定した場合、前記撮像データを分割し、各所定の領域を文字情報として各々記憶する記憶手段と
を備えることを特徴とする情報処理装置。
【請求項３】
画像読取装置からの撮像データを処理する情報処理方法において、
前記画像読取装置から読み取った撮像データを受信する受信工程と、
前記受信工程にて受信した前記撮像データに、予め設定されている識別情報を含むか否かを判定する工程と、
前記判定工程により、
識別情報を含むと判定した場合、前記撮像データの所定の領域は文字情報として記憶し、前記所定の領域以外は画像情報として記憶し、
識別情報を含まないと判定した場合、前記領域に関係なく前記撮像データを画像情報として記憶する記憶工程と
を備えることを特徴とする情報処理方法。
【請求項４】
画像読取装置からの撮像データを処理する情報処理方法において、
前記画像読取装置から読み取った撮像データを受信する受信工程と、
前記受信工程にて受信した前記撮像データに、予め設定されている識別情報を含むか否かを判定する工程と、
前記判定工程により、
識別情報を含むと判定した場合、前記撮像データを分割し、各所定の領域を文字情報として各々記憶する記憶工程と
を備えることを特徴とする情報処理装置。
【請求項５】
画像読取装置からの撮像データの処理を行う情報処理装置に、
前記画像読取装置から読み取った撮像データを受信する受信工程と、
前記受信工程にて受信した前記撮像データに、予め設定されている識別情報を含むか否かを判定する工程と、
前記判定工程により、
識別情報を含むと判定した場合、前記撮像データの所定の領域は文字情報として記憶し、前記所定の領域以外は画像情報として記憶し、
識別情報を含まないと判定した場合、前記領域に関係なく前記撮像データを画像情報として記憶する記憶工程を
実行させるためのプログラム。
【請求項６】
画像読取装置からの撮像データを処理する情報処理方法に、
前記画像読取装置から読み取った撮像データを受信する受信工程と、
前記受信工程にて受信した前記撮像データに、予め設定されている識別情報を含むか否かを判定する工程と、
前記判定工程により、
識別情報を含むと判定した場合、前記撮像データを分割し、各所定の領域を文字情報として各々記憶する記憶工程を
実行させるためのプログラム。
【発明の詳細な説明】
【技術分野】
【０００１】
本発明は、対象物の読み取りを行う画像読取装置に接続される情報処理装置、その制御方法、プログラムに関するものである。
【背景技術】
【０００２】
近年実用化されている光学文字読取装置（OCR）は手書き文字の読み取り、読み取りデータの編集、演算、チェック等の機能を備えている。このようなOCR用の利用者プログラムの作成は一般に、帳票の読み取り条件、例えば、用紙の紙質、字体の種類、筆記具の種類等の他に、読み取り対象領域の指定を記入した制御シートをあらかじめ作成し、これらの制御シートをOCRで読み取らせて制御情報に変換し、記憶装置に登録する方法が採られている。
特許文献１には、帳票上の識別子、マーク、及び外部キー入力のいずれかにより帳票種別を識別して、文字認識を行うOCR装置をパソコンに接続した帳票読取装置が開示されている。
【先行技術文献】
【特許文献】
【０００３】
【特許文献１】特開平９−１３４４０５号公報
【発明の概要】
【発明が解決しようとする課題】
【０００４】
しかしながら、特許文献１は、帳票上の識別子等により、所定の領域については文字認識を行い保存されるが、所定の領域以外の情報は何も行われない。帳票上の情報は、ユーザの利用環境によって、その時は不要でも後日必要になる場合がある。よって、所定の領域以外の情報が埋もれてしまい、ユーザの利便性が悪いという問題があった。
【０００５】
本発明は以上の課題に鑑みてなされたものであり、画像読取装置から読み取った画像をよりユーザの利便性よく管理する技術を提供することを目的とする。
【課題を解決するための手段】
【０００６】
上記目的を達成するため、本発明によれば、
画像読取装置からの撮像データを処理する情報処理装置において、
前記画像読取装置から読み取った撮像データを受信する受信手段と、
前記受信手段にて受信した前記撮像データに、予め設定されている識別情報を含むか否かを判定する手段と、
前記判定手段により、
識別情報を含むと判定した場合、前記撮像データの所定の領域は文字情報として記憶し、前記所定の領域以外は画像情報として記憶し、
識別情報を含まないと判定した場合、前記領域に関係なく前記撮像データを画像情報として記憶する記憶手段と
を備えることを特徴とする情報処理装置が提供される。
【０００７】
また、本発明によれば、
画像読取装置からの撮像データを処理する情報処理装置において、
前記画像読取装置から読み取った撮像データを受信する受信手段と、
前記受信手段にて受信した前記撮像データに、予め設定されている識別情報を含むか否かを判定する手段と、
前記判定手段により、
識別情報を含むと判定した場合、前記撮像データを分割し、各所定の領域を文字情報として各々記憶する記憶手段と
を備えることを特徴とする情報処理装置が提供される。
【０００８】
また、本発明によれば、
画像読取装置からの撮像データを処理する情報処理方法において、
前記画像読取装置から読み取った撮像データを受信する受信工程と、
前記受信工程にて受信した前記撮像データに、予め設定されている識別情報を含むか否かを判定する工程と、
前記判定工程により、
識別情報を含むと判定した場合、前記撮像データの所定の領域は文字情報として記憶し、前記所定の領域以外は画像情報として記憶し、
識別情報を含まないと判定した場合、前記領域に関係なく前記撮像データを画像情報として記憶する記憶工程と
を備えることを特徴とする情報処理方法が提供される。
【０００９】
また、本発明によれば、
画像読取装置からの撮像データを処理する情報処理方法において、
前記画像読取装置から読み取った撮像データを受信する受信工程と、
前記受信工程にて受信した前記撮像データに、予め設定されている識別情報を含むか否かを判定する工程と、
前記判定工程により、
識別情報を含むと判定した場合、前記撮像データを分割し、各所定の領域を文字情報として各々記憶する記憶工程と
を備えることを特徴とする情報処理装置が提供される。
【００１０】
また、本発明によれば、
画像読取装置からの撮像データの処理を行う情報処理装置に、
前記画像読取装置から読み取った撮像データを受信する受信工程と、
前記受信工程にて受信した前記撮像データに、予め設定されている識別情報を含むか否かを判定する工程と、
前記判定工程により、
識別情報を含むと判定した場合、前記撮像データの所定の領域は文字情報として記憶し、前記所定の領域以外は画像情報として記憶し、
識別情報を含まないと判定した場合、前記領域に関係なく前記撮像データを画像情報として記憶する記憶工程を
実行させるためのプログラムが提供される。
【００１１】
また、本発明によれば、
画像読取装置からの撮像データを処理する情報処理方法に、
前記画像読取装置から読み取った撮像データを受信する受信工程と、
前記受信工程にて受信した前記撮像データに、予め設定されている識別情報を含むか否かを判定する工程と、
前記判定工程により、
識別情報を含むと判定した場合、前記撮像データを分割し、各所定の領域を文字情報として各々記憶する記憶工程を
実行させるためのプログラムが提供される。
【発明の効果】
【００１２】
本発明によれば、画像読取装置から読み取った画像をよりユーザの利便性よく管理する技術を提供することができる。
【図面の簡単な説明】
【００１３】
【図１】本発明の第一実施形態における全体の概略を示す図である。
【図２】本発明の第一実施形態における画像読取装置の一例を示す外観斜視図である。
【図３】本発明の第一実施形態におけるコンピュータのハードウェア構成例を示すブロック図である。
【図４】本発明の第一実施形態における情報処理装置が実行する処理の流れを示したフローチャートである。
【図５】本発明の第一実施形態における管理テーブルの一例を示す図である。
【図６】本発明の第一実施形態における対象物をノートと指定した場合、文字情報として記憶される領域の一例を示す図である。
【図７】本発明の第二実施形態における情報処理装置が実行する処理の流れを示したフローチャートである。
【図８】本発明の第二実施形態における撮像データを分割し、文字情報として各々記憶される一例を示す図である。
【発明を実施するための形態】
【００１４】
＜第一実施形態＞
以下、本発明について図面を参照しながら説明する。なお、以降ではエリアイメージセンサを用いた画像読取装置について説明するが、画像を読み取ることができるのであれば、その種類や機種は限定されるものではない。例えば、リニアイメージセンサを用いた画像読取装置であっても、本発明の画像読取装置として採用できる。
【００１５】
図１は、本発明の実施形態における全体の概略を示す図である。画像読取装置１と情報処理装置２は、通信ケーブル３（例えば、ＵＳＢケーブル）を介して通信可能に接続されており、情報処理装置２にて、画像読取装置１から読み取った対象物（例えば、ノート、スケジュール帳等）４の撮像データの読み込みを実行することができる。
【００１６】
情報処理装置２は、例えば、対象物４の指定、読み込まれた撮像データに識別情報（以下、識別子）があるか否かの判定、読み込まれた撮像データの加工や補正をするための処理等を行うことが可能である。
【００１７】
以降の説明では、情報処理装置２がパーソナルコンピュータであることを前提にしているが、情報処理装置２が一般的なパーソナルコンピュータと同等以上、若しくはそれに準ずる演算処理能力を有する機器であるならば、その種類、機種は限定されるものではない。例えば、携帯端末であってもよい。なお、対象物４は、二次元の平面物に限定されず、三次元の立体物でもよい。
【００１８】
図２は、本発明の実施形態における画像読取装置の一例を示す外観斜視図である。画像読取装置１は、画像撮像手段と、画像撮像手段を対象物４に対して一定に保持する保持手段を備える。
【００１９】
保持手段は、ベース部として脚８（８Ｒ、８Ｌ）、ボディー部としてアーム６（６Ａ、６Ｂ）とヘッド５を有しており、ヘッド５にはレンズ７が取り付けられ、エリアイメージセンサ（撮像手段）が内蔵されている。ヘッド５には必要に応じてアンプを設けても良い。
【００２０】
脚８とアーム６Ａ、アーム６Ａとアーム６Ｂ、アーム６Ｂとヘッド５は、不図示のヒンジによりそれぞれ連結されている。各部はこれらの各ヒンジによって、所定の角度の範囲で回転可能に構成される。
【００２１】
アーム６は脚８Ｒ、８Ｌにより形成される角部上に配置されて、脚８は開き角９０°で画像読取装置１全体を支持している。これによって、一般的に画像読取装置１が嵩張る原因となる原稿台をなくした簡単な構成でも、ボディー部を安定的に保持することができる。
【００２２】
また、脚８は対象物４の位置決め機能も同時に有しており、対象物４は脚８Ｒ、８Ｌにより構成される角部で脚８Ｒ、８Ｌに挟持され、容易に位置決めすることができる。
【００２３】
なお、脚８は最大開き角を９０°以上で構成しても良く、任意の開閉角度で固定保持できるように構成しても良い。その際はその開き角について最適な原稿位置を示すための突起や目盛りなどを設けて原稿の位置決めをしても良い。また他にも、脚８Ｒ、８Ｌはそれぞれ長さを調整できるように伸縮や折り畳みができるように構成しても良い。
【００２４】
また、ヘッド５はアーム６に取り外せないかたちで一体的に構成されている。さらに脚８Ｒ、８Ｌは、アーム６を回転中心として開閉可能に構成されており、アーム６が画像読取面に対して所定の位置（例えば、Ａ４サイズの原稿をセットした際、画像撮像手段が原稿の中心位置に合った位置）に決まるように、それぞれ所定の開き位置で固定される。
【００２５】
すなわち、画像読取装置１において、アーム６およびヘッド５は、脚８の開脚時、脚８の開き角に対して水平方向に固定的に構成されている。したがって、脚８を開脚することによってのみ、ヘッド５の画像撮像手段と対象物４との位置が一対一で決定する。これにより、画像撮像手段と対象物４との位置決めに微調整等の手間を要することなく、容易かつ瞬時に原稿の位置決めを行うことができる。
【００２６】
ただし、このような脚８を開くことによって決まる画像撮像手段の所定位置は一つでなくても良く、例えば、ネジなどによるアーム６の固定位置の可変手段を備えるようにすることで複数の位置に固定できるように構成することができる。このように構成するこによって、ほとんど特定サイズの原稿でしか画像読取装置を使用しない場合に、原稿の読み取り手順が非常に容易である一方、場合によっては複数のサイズに対応することもでき、より使用性を向上することができる。
【００２７】
ヘッド５は、対象物４に対してレンズ７の光軸が垂直になるようにセットされる。したがってヘッド５内のエリアイメージセンサと対象物４の読取面は平行になっており、対象物４の画像情報はレンズ７によりエリアイメージセンサに傾き無く結像される。
【００２８】
また、画像読取装置１は、脚８とアーム６Ａ、アーム６Ａとアーム６Ｂ、アーム６Ｂとヘッド５の各ヒンジによって、各部を所定の角度の範囲で回転することにより、折り畳むことも可能である。
【００２９】
ヘッド５をアーム６Ｂの直線上に回動するとともに、閉脚した状態の脚８をアーム６Ａ内に収納し、アーム６Ａとアーム６Ｂとをヒンジにより略１８０度回転させることによって、画像読取装置１をコンパクトに折り畳むことができる。
【００３０】
なお、このような折り畳み方はあくまで一例であり、その他にもさまざまな形態が考えられるため本形態に限定しない。
【００３１】
このような構成によって、軽量、小型化による携帯性を向上するだけでなく、原稿に対するエリアイメージセンサの読み取り中心や、読み取りサイズを調整することも可能となり、よりユーザの使用性を向上することができる。
【００３２】
また、アーム６を伸縮可能な部材によって構成し、アーム６Ｂを、アーム６Ａから繰出し可能な構成とすることも可能である。アーム６Ｂは所定の位置まで繰出した状態で固定され、ヘッド５を所定の高さに位置決め保持することができる。
【００３３】
また、ヘッド５に内蔵されているエリアイメージセンサ（画像撮像手段）によって、対象物４の撮像データを取得することができる。そして、取得された撮像データは、情報処理装置２に出力される。
【００３４】
なお、エリアイメージセンサを用いた画像読取装置の場合、例えば、スケジュール帳を撮像する際、スケジュール帳を開いた状態で撮像することができる。つまり、対象物を裏返す手間なく撮像することができる。
【００３５】
図３は、情報処理装置２に適用可能なコンピュータのハードウェア構成例を示すブロック図である。ＣＰＵ３１は、ＲＯＭ３２やＲＡＭ３３に格納されているコンピュータプログラムやデータを用いてコンピュータ全体の制御を行う。本コンピュータを情報処理装置２に適用した場合、ＣＰＵ３１は後述する処理を実行する。
【００３６】
ＲＯＭ３２には、本コンピュータの設定データや、ブートプログラムなどが格納されている。ＲＡＭ３３は、ＨＤＤ（ハードディスクドライブ）３４からロードされたコンピュータプログラムやデータ、インターフェース３７を介して画像読取装置１から受信したデータなどを一時的に記憶するためのエリアを有する。
【００３７】
更に、ＲＡＭ３３は、ＣＰＵ３１が各種の処理を実行する際に用いるワークエリアを有する。即ち、ＲＡＭ３３は、各種のエリアを適宜提供することができる。
【００３８】
ＨＤＤ３４には、ＯＳ（オペレーティングシステム）や、本コンピュータを適用した装置が行う各種の処理をＣＰＵ３１に実行させるためのコンピュータプログラムやデータが保存されている。
【００３９】
本コンピュータを情報処理装置２に適用した場合、係るコンピュータプログラムには、情報処理装置２が行うものとして後述する各処理をＣＰＵ３１に実行させるためのコンピュータプログラムが含まれている。
【００４０】
また、後述する管理テーブル、後述する処理により加工された文字情報や画像情報についてもこのＨＤＤ３４内に記憶されている。ＨＤＤ３４に保存されているコンピュータプログラムやデータは、ＣＰＵ３１による制御に従って適宜ＲＡＭ３３にロードされ、ＣＰＵ３１による処理対象となる。
【００４１】
入力装置３５は、キーボードやマウスなどにより構成されており、本コンピュータの操
作者は、この入力装置３５を操作することで、各種の指示をＣＰＵ３１に対して入力する
ことができる。
【００４２】
表示装置３６は、ＣＲＴや液晶画面などにより構成されており、ＣＰＵ３１による処理
結果を画像や文字などでもって表示することができる。
【００４３】
インターフェース３７は、様々なインターフェースで構成されている。例えば、本コン
ピュータを情報処理装置２に適用した場合、インターフェース３７は、本コンピュータに画像読取装置１を接続する為のデバイスインターフェースを含む。３８は上述の各部を繋ぐバスである。
【００４４】
本実施形態では説明を簡単にするために、情報処理装置２は図３に示した構成を有するコンピュータであるものとして説明するが、コンピュータの構成については係る構成に限定するものではない。
【００４５】
図４は、本発明の実施形態における情報処理装置２の処理の流れを示すフローチャートである。情報処理装置２の表示装置７６に入力画面を構成し、後述する管理テーブル（図５）の対象物５１から、ユーザが所望する読み取り対象物を指定する（Ｓ４１）。
【００４６】
なお、所望する読み取り対象物がない場合、入力画面を用いてユーザが管理テーブル（図５）に追加する構成とすることも可能である。
【００４７】
図５は、管理テーブルの一例である。管理テーブルは、対象物５１と、識別情報（識別子Ａ５２、識別子Ｂ５４）と、所定の処理を行う領域（文字認識する領域５３、ＪＰＥＧとして記憶する領域５５）を関連付けるテーブルであり、ＨＤＤ３４に記憶されている。
識別情報（識別子Ａ５２、識別子Ｂ５４）は、バーコード、ＱＲコード、原稿サイズ、数字、印鑑、画像等、対象物５１を識別できるものであれば何でもよい。
【００４８】
所定の処理を行う領域（文字認識する領域５３、圧縮して記憶する領域５５）は、表示装置７６の入力画面に表示される位置情報（例えば、ＸＹ座標）で特定されてもよいし、表示装置７６の入力画面にユーザがポインティングデバイス等で領域指定できる枠を構成して、所定の処理を行う領域としてもよい。
【００４９】
ＣＰＵ３１は、画像読取装置１に読取指示を行い（Ｓ４３）、画像読取装置１から撮像データを受信したか否かの判定を行う（Ｓ４３）。なお、撮像データを受信しない場合（Ｓ４３のＮＯ）、Ｓ４３の処理を繰り返す。
【００５０】
撮像データ受信した場合（Ｓ４３のＹＥＳ）、ＣＰＵ３１は、表示装置７６の入力画面に撮像データの表示を行う（Ｓ４４）。
【００５１】
ＣＰＵ３１は管理テーブル（図５）を参照し、Ｓ４１にて指定した対象物に応じた識別子Ａ５２が撮像データにあるか否かの判定を行う（Ｓ４５）。
識別子Ａ５２が撮像データにある場合（Ｓ４５のＹＥＳ）、ＣＰＵ３１は管理テーブル（図５）を参照し、識別子Ａ５２に基づいて所定の領域（文字認識する領域５３）を文字情報に変換し、ＨＤＤ３４に記憶する（Ｓ４６）。
【００５２】
そして、ＣＰＵ３１は、所定の領域以外（Ｓ４６で記憶されなかった領域）を画像情報（例えば、ＰＤＦファイル）に変換し、ＨＤＤ３４に記憶する（Ｓ４７）。
【００５３】
識別子Ａ５２が撮像データにない場合（Ｓ４５のＮＯ）、ＣＰＵ３１は管理テーブル（図５）を参照し、識別子Ｂ５４が撮像データにあるか否かの判定を行う（Ｓ４８）。
【００５４】
識別子Ｂ５４が撮像データにある場合（Ｓ４８のＹＥＳ）、ＣＰＵ３１は管理テーブル（図５）を参照し、識別子Ｂ５４に基づいて所定の領域（圧縮して記憶する領域５５）を圧縮して（例えば、ＪＰＥＧ）、ＨＤＤ３４に記憶する（Ｓ４９）。
【００５５】
そして、ＣＰＵ３１は、所定の領域以外（Ｓ４９で記憶されなかった領域）を画像情報（例えば、ＰＤＦ）としてＨＤＤ３４に記憶する（Ｓ５０）。
【００５６】
識別子Ｂ５２が撮像データにない場合（Ｓ４８のＮＯ）、ＣＰＵ３１は、受信した撮像データを画像情報（例えば、ＰＤＦ）としてＨＤＤ３４に記憶する（Ｓ５１）。すなわち、所定の領域に関係なく撮像データを画像情報として記憶する。
【００５７】
なお、管理テーブル（図５）は一例であるため、識別子Ｂ５４、圧縮して記憶する領域５５を設けない構成とすることも可能である。その場合は、Ｓ４８〜Ｓ５０の処理は行なわれない。
【００５８】
図６は、対象物をノートと指定した場合に文字情報として記憶される領域の一例を示す図である。対象物４（ノート）に応じた識別子Ａ５２が存在するため、管理テーブル（図５）を参照し、領域Ａを文字情報としてＨＤＤ３４に記憶する。そして、領域Ａ以外をＨＤＤ３４に画像情報として記憶する。
【００５９】
なお、情報処理装置２は、ネットワーク（不図示）に接続され、管理サーバ装置（不図示）から管理テーブルを更新する構成とすることも可能である。
【００６０】
また、ＨＤＤ３４に記憶される文字情報や、画像情報を管理サーバ装置に送信し、管理サーバ装置にて撮像データ（文字情報、画像情報）の管理を行うことも可能である。
【００６１】
以上より、対象物の識別子に応じて、文字情報、画像情報として記憶するため、ユーザの利便性がよい管理が可能となる。
【００６２】
また、対象物の識別子に応じて、撮像データを圧縮して記憶するため、ユーザの利用環境に適した管理を行うことができる。
【００６３】
また、対象物毎に異なる処理を行う場合でも、対象物を指定してから処理を行うため、情報処理装置の負荷を軽減することができる。
【００６４】
＜第二実施形態＞
第二実施形態では、情報処理装置にて表示される撮像データ（原稿）の輪郭から認識できる原稿サイズを、識別情報として説明する。
なお、第二の実施形態の構成、及び動作の大部分は、第一実施形態の構成、及び動作と共通するため、第一実施形態と異なる構成、及び動作についてのみ説明し、共通の構成、及び動作については説明を省略する。
【００６５】
図７は、本発明の第二実施形態における情報処理装置が実行する処理の流れを示したフローチャートである。なお、ここでは、管理テーブルの識別情報を「△Ｘ＝２，△Ｙ＝４（名刺サイズ）」、所定の処理を行う領域を「名刺に記載されている文字（例えば、会社名、氏名）」として説明する。
【００６６】
ＣＰＵ３１は、画像読取装置１に読取指示を行い（Ｓ７１）、画像読取装置１から撮像データを受信したか否かの判定を行う（Ｓ７２）。なお、撮像データを受信しない場合（Ｓ７２のＮＯ）、Ｓ７２の処理を繰り返す。
【００６７】
撮像データ受信した場合（Ｓ７２のＹＥＳ）、ＣＰＵ３１は、表示装置７６の入力画面に撮像データの表示を行う（Ｓ７３）。
【００６８】
ＣＰＵ３１は管理テーブルを参照し、識別情報が撮像データに含むか否かの判定を行う（Ｓ７４）。これは、Ｓ７３にて表示された撮像データから原稿の位置情報を取得し、原稿の輪郭を判断して判定を行う。
【００６９】
例えば、撮像データの位置情報が（Ｘ０，Ｙ0−Ｘ２，Ｙ４）、（Ｘ４，Ｙ６−Ｘ６，Ｙ１０）と取得された場合、△Ｘ＝２，△Ｙ＝４  の輪郭をもつ対象物が二つ存在すると判断できる。そして、管理テーブルを参照し、△Ｘ＝２，△Ｙ＝４  の識別情報が存在するため、識別情報が撮像データに含んでいると判定することができる。
【００７０】
識別情報が撮像データに含む場合（Ｓ７４のＹＥＳ）、ＣＰＵ３１は管理テーブルを参照し、識別情報に基づいて対象物の確認を行う（Ｓ７５）。例えば、撮像データの位置情報から、△Ｘ＝２，△Ｙ＝４  の輪郭をもつ対象物が存在すると判定された場合、対象物は「名刺」だと判断できる。
【００７１】
そして、ＣＰＵ３１は、同一の識別情報が２つ以上含むか否かの判定を行い（Ｓ７６）、２つ以上含む場合、識別情報の数に応じた分割を行う（Ｓ７７）。例えば、図８の様に同一の識別情報（Ｘ＝２，△Ｙ＝４）が４つあると判定された場合、４つに分割される。
【００７２】
分割された対象物（名刺）各々に対し、管理テーブルを参照して、所定の領域を文字情報に変換して各々ＨＤＤ３４に記憶する（Ｓ７８）。
【００７３】
例えば、名刺１の情報として、「会社名：○○」「氏名：××」が、名刺２の情報として、「会社名：△△」「氏名：□□」が検索しやすいようＤＢ化されて記憶される。
【００７４】
同一の識別情報が１つしか含まない場合（Ｓ７６のＮＯ）、管理テーブルを参照して、所定の領域を文字情報に変換してＨＤＤ３４に記憶する（Ｓ７９）。
【００７５】
識別情報が撮像データに含まない場合（Ｓ７４のＮＯ）、ＣＰＵ３１は、受信した撮像データを画像情報（例えば、ＰＤＦ）としてＨＤＤ３４に記憶する（Ｓ８０）。
【００７６】
以上より、ひとつの撮像データから複数の対象物を、各々所望する領域を文字情報として管理することが可能となる。よって、ユーザは一回の操作で、複数の対象物の管理が行えるため、ユーザの作業効率を向上する事ができる。
【００７７】
また、対象物の識別情報に応じて、文字情報、画像情報として記憶するため、ユーザの利便性がよい管理が可能となる。
【符号の説明】
【００７８】
１  画像読取装置
２  情報処理装置
４  対象物
５  ヘッド
６Ａ、６Ｂ  アーム
８Ｌ、８Ｒ  脚
【図１】
2011039714.tif 000003
【図２】
2011039714.tif 000004
【図３】
2011039714.tif 000005
【図４】
2011039714.tif 000006
【図５】
2011039714.tif 000007
【図６】
2011039714.tif 000008
【図７】
2011039714.tif 000009
【図８】
2011039714.tif 000010